(57)【要約】【課題】表示が見やすく、操作性も良い工程管理図の表示方法および工程管理図の表示システムを提供する。【解決手段】工程軸と時間軸とを有し、工程のスケジュール管理を行うための工程管理図の表示制御方法であって、前記時間軸上の表示幅を、所定の時間領域毎に可変に設定するステップと、前記所定の時間領域毎に、前記可変に設定するステップにおいて設定された前記時間軸上の表示幅を持つ複数の時間領域で分割された前記工程管理図を表示する制御を行う表示制御ステップと、を有し、前記表示制御ステップは、詳細表示領域を、時間軸上の固定位置に表示させる ことを特徴とする工程管理図の表示制御方法。  【選択図】図３
2020052815.tif 000002
【特許請求の範囲】
【請求項１】
工程軸と時間軸とを有し、工程のスケジュール管理を行うための工程管理図の表示制御方法であって、
前記時間軸上の表示幅を、所定の時間領域毎に可変に設定するステップと、
前記所定の時間領域毎に、前記可変に設定するステップにおいて設定された前記時間軸上の表示幅を持つ複数の時間領域で分割された前記工程管理図を表示する制御を行う表示制御ステップと、を有し、
前記表示制御ステップは、
詳細表示領域を、時間軸上の固定位置に表示させることを特徴とする工程管理図の表示制御方法。
【請求項２】
前記時間領域における前記工程管理図を表示する期間の長さに依存して、期間が長いほど前記時間領域によって画定される表示領域における単位表示領域当たりの情報量が多い詳細表示領域とするように表示する制御をすることを特徴とする請求項１に記載の工程管理図の表示制御方法。
【請求項３】
前記詳細表示領域を編集可能領域とし、前記詳細表示領域以外の領域を編集不可領域とすることを特徴とする請求項１又は２に記載の表示制御方法。
【請求項４】
工程軸と時間軸とを有し、工程のスケジュール管理を行うための工程管理図の表示制御システムであって、
前記時間軸上の表示幅を、所定の時間領域毎に可変に設定する表示幅設定部と、
前記表示幅設定部において設定された前記所定の時間領域毎に、前記可変に設定する処理において設定された前記時間軸上の表示幅を持つ複数の時間領域で分割された前記工程管理図を表示する制御を行う表示制御部と、を有し、
前記表示制御部は、
詳細表示領域を、時間軸上の固定位置に表示させることを特徴とする工程管理図の表示制御システム。  
【発明の詳細な説明】
【技術分野】
【０００１】
本発明は、工程管理図の表示技術に関する。
【背景技術】
【０００２】
従来から工程の管理は、ガントチャートなどの工程管理図（表）により行われてきた。例えば、特許文献１では、工程管理単位時間の整数倍で将来の経過時間を区切り、近い将来ほどこの整数を小さく設定し細かく、遠い将来ほど整数を大きくして粗く管理するようなことも行われてきた。
【先行技術文献】
【特許文献】
【０００３】
【特許文献１】特開平６−５２１７５号公報
【発明の概要】
【発明が解決しようとする課題】
【０００４】
ところで、ガントチャートなどの工程管理図により生産計画などを立案する場合などにおいて、全体の予定を確認しながら計画を立てたいという要請があった(後述する図１参照)。
【０００５】
しかしながら、ガントチャート全体が見えるように表示を縮小させると、細かい時間単位、例えば１日単位の編集が難しいという問題がある。
【０００６】
また、表示画面において生産計画を編集することができるくらいに拡大するとガントチャート全体を一括して確認することができないという問題があった。
【０００７】
また、ガントチャートをタブレット端末などの小画面の端末で閲覧する際、現時点から遠くの日付まで移動しようとすると何回もフリックする必要があるという問題があった（後述する図２参照）。
【０００８】
本発明は、上記の問題点を解決し、表示が見やすく、操作性も良い工程管理図の表示方法および工程管理図の表示システムを提供することを目的とする。
【課題を解決するための手段】
【０００９】
本発明の一観点によれば、工程軸と時間軸とを有し、工程のスケジュール管理を行うための工程管理図の表示制御方法であって、前記時間軸上の表示幅を、所定の時間領域毎に可変に設定するステップと、前記所定の時間領域毎に、前記可変に設定するステップにおいて設定された前記時間軸上の表示幅を持つ複数の時間領域で分割された前記工程管理図を表示する制御を行う表示制御ステップと、を有し、前記表示制御ステップは、詳細表示領域を、時間軸上の固定位置に表示させることを特徴とする工程管理図の表示制御方法が提供される。  
【００１０】
前記時間領域における前記工程管理図を表示する期間の長さに依存して、期間が長いほど前記時間領域によって画定される表示領域における単位表示領域当たりの情報量が多い詳細表示領域とするように表示する制御をすることが好ましい。
【００１１】
前記詳細表示領域を編集可能領域とし、前記詳細表示領域以外の領域を編集不可領域とすることが好ましい。
【００１２】
本発明の他の観点によれば、工程軸と時間軸とを有し、工程のスケジュール管理を行うための工程管理図の表示制御システムであって、前記時間軸上の表示幅を、所定の時間領域毎に可変に設定する表示幅設定部と、前記表示幅設定部において設定された前記所定の時間領域毎に、前記可変に設定する処理において設定された前記時間軸上の表示幅を持つ複数の時間領域で分割された前記工程管理図を表示する制御を行う表示制御部と、を有し、前記表示制御部は、詳細表示領域を、時間軸上の固定位置に表示させることを特徴とする工程管理図の表示制御システムが提供される。  
【発明の効果】
【００１３】
本発明によれば、表示が見やすく、操作性も良い工程管理図の表示方法および工程管理図の表示システムを提供することができる。
【図面の簡単な説明】
【００１４】
【図１】図１（ａ），図１（ｂ）は、工程管理単位時間を日とした場合の工程管理図の表示の一例をそれぞれ示す図である。
【図２】タッチパネル型の小型表示画面を有するタブレット端末などの携帯端末を用いて、現場でガントチャートを閲覧する様子を示す図である。
【図３】本実施の形態による工程管理図の表示技術の考え方（原理）の一例を示す図である。
【図４】図２に対応する図であり、タブレット端末の場合の表示例を示す図である。
【図５】本実施の形態による情報端末の一構成例を示す機能ブロック図である。
【図６】本実施の形態による領域表示順位設定処理の流れの一例を示すフローチャート図である。
【図７】本実施の形態による単位時間当たりの情報量（情報詳細度）の決定／表示処理例を示すフローチャート図である。
【図８】ガントチャートの表示例１を示す図である。
【図９】表示順位が０のオブジェクトの表示方法を示す図である。
【図１０】表示領域の実用的な分割の一例を示す図である。
【図１１】単位期間表示情報量、すなわち、表示する情報の詳細度（又は表示情報の粒度とも言う）に焦点を当てて表示画面を示した図である。
【図１２】ガントチャートに表示すべき情報（オブジェクト）の表示制御処理の一例を示すフローチャート図である。
【図１３】図１２の処理に沿って、表示順位が決定される様子を示す図である。
【発明を実施するための形態】
【００１５】
本明細書において、工程管理単位時間とは、工程管理図を表示する場合の基本的な単位となる時間であり、月，週，日，時間などが挙げられるが、以下では、１日を工程管理単位時間とする例について説明する。
【００１６】
以下に、本発明の一実施の形態による工程管理図（ガントチャートなど）の情報端末（ＰＣ，ＰＤＡ，タブレットなど）などへの表示技術について図面を参照しながら詳細に説明する。
【００１７】
（一般的な工程管理図の表示制御例）
まず、上記のような背景技術で説明した一般的な工程管理図の表示制御例について説明する。
【００１８】
図１（ａ），図１（ｂ）は、一般的な工程管理図の表示例を示す図である。工程管理図の横軸は時間軸であり、横軸は各作業ＩＤを縦方向に順番に並べた作業軸である。縦軸と横軸は入れ替えても良い。
【００１９】
図１（ａ）は、工程管理単位時間を日とした場合の工程管理図の表示例を示す図である。図１（ａ）に示す工程管理図１に、作業名称（ＩＤ）欄１１、コメント欄１５、月日表示欄１７が設けられている。さらに、より詳細な情報の一例として、１つの工程の進捗状況を示すタスクバー２１と、注釈などを付加する吹き出し２３などが表示される。
【００２０】
尚、タスクバー２１は、当該タスクの始点２１ａ、終点２１ｃと現時点２１ｂにより、タスクの進捗状況を示すオブジェクトである。
【００２１】
しかしながら、図１（ａ）のように、表示欄のほぼ全幅を１月の１〜３１日で表示させると、右端には２月の一部のみが表示される。このように、工程管理単位時間を１日とすると、表示画面上でのタスクバー２１などの編集作業が行いやすいという利点がある。しかしながら、全表示画面には、ほぼ１ヶ月の期間しか表示できないため、例えば半年間などの全体の予定を確認することが難しく、一覧性に乏しいという問題がある。例えば、工程全体の予定を操作なしに一画面で確認するには向いていない。
【００２２】
一方、図１（ｂ）に示す工程管理図１は、１月から６月までの工程が一画面で一覧できるという利点がある。
【００２３】
しかしながら、工程管理単位時間、この場合には、１日単位での編集作業には向いていないという問題点がある。
【００２４】
このように、工程管理単位時間に比べて期間が長い工程をガントチャートにおいて一画面表示のままで編集することは難しかった。
【００２５】
図２は、タッチパネル型の小型表示画面を有するタブレット端末などの携帯端末を用いて、現場でガントチャートを閲覧する様子を示す図である。
【００２６】
タッチパネル型の小型表示画面を有するタブレット端末等では、スワイプ操作などを行うことで、表示画面の一端から他端まで表示位置を変更して表示させることができるという利点がある。
【００２７】
しかしながら、ある日付の領域に対して日付が離れている領域を表示させるためには、指Ｈでスワイプ操作をＳＷ１，ＳＷ２などで示したように数回にわたって行う必要があるため、操作が煩雑になるという問題がある。
【００２８】
（本実施の形態による工程管理図の表示制御例）
そこで、発明者は、以下のような工程管理図の表示技術に想到した。図３は、本実施の形態による工程管理図の表示技術の考え方（原理）の一例を示す図である。
【００２９】
図３に示すように、本実施の形態では、
１）表示領域を複数の表示領域に分割すること、
２）複数に分割した各表示領域において、工程管理単位時間に割り当てられる表示幅Ｗを、異なる値に設定することができるようにすること、
３）表示画面の中央領域における工程管理単位時間に割り当てられる表示幅Ｗを、大きくとるようにすること、
４）表示幅Ｗを、大きくとる領域を編集可能な領域とすること、他の領域を編集不可領域とすることを特徴とする。「他の領域を編集不可とする」ことで、表示幅の狭い領域の誤操作による編集ミスを防ぐ効果がある。
【００３０】
例えば、図３においては、端末Ｘ等の表示画面１の時間軸の全幅をＷ１とすると、２月における領域の幅Ｗ２を、Ｗ１を均等に割り当てた場合に比べて大きく設定し、すなわち、２月の時間幅Ｔ２を全時間幅Ｔ１−６の１／６に比べて大きく設定する（Ｗ１／６＜Ｗ２）。このように設定することで、この２月の領域において、表示情報の編集作業を行いやすくなる。この表示例における２月など、編集しやすい期間はユーザが任意に設定できるようにしても良いし、例えば、現在が２月中のある日時であれば、自動的に２月が編集しやすい領域になるように表示制御されても良い。このようにすれば、所望の月又は現在の月の領域を広く表示させて、その領域における編集作業を行いやすくすることができる。
【００３１】
図４は、図２に対応する図であり、タブレット端末の場合の工程管理図の表示例を示す図である。図４に示す表示例は、基本的に図３における表示例と同様に２月の工程管理単位時間を大きくしている。そして、例えば、工程管理単位時間を小さくした右端の６月の領域から２月の領域までスワイプ操作ＳＷ３を行うと、それまで２月の領域が有していた大きい工程管理単位時間を６月が引き継ぐように構成されている。
【００３２】
このようにすることで、図４に示す表示例１ａでは、スワイプ操作を行った場合に、図４の下図に示すように、６月から２月などの離れた月まで素早く表示領域を到達させることができ、かつ、到達した領域の工程管理単位時間の大きさをスワイプ開始位置の月の工程管理単位時間の大きさを６月の表示領域において引き継ぐことができる。例えば、表示画面の時間軸の全幅をＷ１１とし、スワイプＳＷ３前の２月の時間軸の全幅をＷ１２とすると、Ｗ１１／６＜Ｗ１２である。
【００３３】
以上に説明したように、スワイプ操作を行うと、最初に指をおいた位置までスクロールすることで、遠い日付けの領域に素早く到達させることができる。すなわち、スワイプ操作ＳＷ３を１回行うだけで、スワイプ操作以前に２月の領域が表示されていた領域の位置まで６月の領域を移動させることができ、操作が簡単になるという利点がある。
【００３４】
また、所望の領域を別の領域に移動させることで、別の領域が有している詳細度（情報量）を有するように所望の領域の詳細度を変更させることもできる。詳細度（情報量）については後述する。
【００３５】
（本実施の形態による工程管理図の表示制御部を有する情報端末の構成例と表示制御処理の流れを示すフローチャート図）
図５は、本実施の形態による情報端末Ｘの一構成例を示す機能ブロック図である。図５に示すように、本実施の形態による情報端末Ｘは、例えば、マウスやタッチパネルなどの入力部１０１と、メモリやＨＤＤなどの記憶部１０２と、表示幅／情報詳細度決定部１０３と、表示制御部１０４と、表示部１０５（表示画面は符号１で示す）と、を有している。記憶部１０２には、処理をＣＰＵに実行させるためのプログラムや、後述する表１、２などにおいて示す各種設定値などを記憶することができる。
【００３６】
図６は、本実施の形態による領域表示順位設定処理の流れの一例を示すフローチャート図である。処理が開始されると（Ｓｔａｒｔ）、ステップＳ１において、ガントチャートの時間軸上において、工程管理単位時間（以下、「単位時間」とも）毎に複数領域に分割する。分割する領域は例えば、１ヶ月単位などである。次に、ステップＳ２において、各分割領域毎に、例えば、領域表示順位を入力部１０１から入力する。
【００３７】
次いで、ステップＳ３において、表示幅／情報詳細度決定部１０３が、ステップＳ２で設定した領域表示順位に基づいて、各領域の表示画面における時間軸上の表示幅（時間軸上の時間幅）を決定する。この処理については後述する。次いで、ステップＳ４において、表示制御部１０４が、各領域毎の表示幅に基づいて、各領域を出力部（表示部）１０５に表示させて、処理を終了する（Ｅｎｄ）。
【００３８】
以上の処理により、領域表示順位の設定処理ができる。
【００３９】
図７は、本実施の形態による単位時間当たりの情報量（情報詳細度）の決定／表示処理例を示すフローチャート図である。処理が開始されると（Ｓｔａｒｔ）、ステップＳ１１において、各領域の表示幅を例えば記憶部１０２から取得する。次いで、ステップＳ１２において、表示幅／情報詳細度決定部１０３が、ステップＳ１１で取得した各領域毎の表示幅の値に基づいて、当該領域に表示する情報の詳細度を記憶部１０２に記憶している領域詳細度の対応関係から決定する。
【００４０】
次いで、ステップＳ１３において、表示制御部１０４が、ステップＳ１２で取得した情報の詳細度でもって、出力部（表示部）１０５に当該領域の情報を表示し、処理を終了する（Ｅｎｄ）。
【００４１】
以上の処理により、単位時間当たりの情報量（情報詳細度）の決定／表示処理を行うことができる。
【００４２】
（ガントチャート表示の実施例）
以下に、上記の表示制御処理技術を用いて、工程管理図（ガントチャート）を表示画面に表示させた各種の表示例を示す。
【００４３】
図８は、ガントチャートの表示例１を示す図である。表示画面の一例を示す図である、図８においては、表示画面１の時間軸上の図面の左側から順番に、小日程領域ＡＲ１，中日程領域ＡＲ２，大日程領域ＡＲ３が表示されている。この表示例では、小日程領域ＡＲ１は、表示幅がＷ２１と大きく（Ｗ２１＞Ｗ２２＞Ｗ２３）画面上でのタスクバーなどの編集が可能な編集領域となっている。中日程領域ＡＲ２と大日程領域ＡＲ３とは、単なる表示領域であり、編集作業を行うことができない参照領域である。但し、中日程領域ＡＲ２と大日程領域ＡＲ３とでは、工程管理単位時間が前者の方が大きくなっており、より詳しいタスクバーの表示などを閲覧することはできる。
【００４４】
図９は、表示順位が０のオブジェクトの表示方法を示す図である。まず、表示順位について説明する。
【００４５】
ここで、表示順位は、スケジュール領域のオブジェクトの表示/非表示を決めるための値である。
尚、表示順位には、領域表示順位とオブジェクト表示順位との２種類がある。
【００４６】
表１は、領域表示順位の一例を示す表である。
【００４７】
【表１】
2020052815.tif 000003
【００４８】
表１に示す領域表示順位は、以下のようになっている。
・各領域の持つ表示幅基準値（表示ポイント）で領域ごとに固定される。
・小日程領域(領域Ｂ)の領域表示順位を１とする。
・中日程領域(領域Ａ，Ｃ)の領域表示順位を２とする。
・大日程領域(領域Ｄ)の領域表示順位を３とする。
【００４９】
【表２】
2020052815.tif 000004
【００５０】
表２は、オブジェクト表示順位の一例を示す図であり、表２に示すように、以下のように設定されている。
【００５１】
・スケジュール領域のオブジェクトが持つ表示順位でユーザが０〜３までの間で任意に設定可能である。
・０を設定した場合は、そのオブジェクトの他の属性を参照して、システムが自動的にオブジェクト表示順位１〜３までを割り当てる。
【００５２】
図９に戻って説明を続けると、図９には、小日程領域ＡＲ１と、中日程領域ＡＲ２と、大日程領域ＡＲ３とが全て表示されている。そして、表示順位“０”の場合には、表２に示すように、そのオブジェクトの他の属性を参照して、システムが自動的にオブジェクト表示順位１〜３までを割り当てる。
【００５３】
また、表１より、各領域の持つ表示順位で領域ごとに固定される。そして、小日程領域(領域Ｂ)の領域表示順位を１とする。中日程領域(領域Ａ，Ｃ)の領域表示順位を２とする。大日程領域(領域Ｄ)の領域表示順位を３とする。
【００５４】
上記のルールに沿って、図９では、吹き出しＦ１に示すように、注釈・バーリンク・イナズマ線などの詳細な情報は、中・大日程では非表示としている。また、吹き出しＦ２に示すように、子供を持たないアイテムに所属するバーは中・大日程では非表示としている。さらに、吹き出しＦ３に示すように、階層がＹ(ここでは１)階層より下にあるバーは大日程では非表示とする。図９に示すような、表示情報の領域毎の詳細度の内容は予めシステムで決めておけば良い。そして、必要に応じて変更できるようにすると良い。
【００５５】
このように、優先度０のオブジェクトの表示は、その情報の詳細度が、小日程領域Ｒ１＞中日程領域Ｒ２＞大日程領域Ｒ３のように、工程管理単位時間が短い領域ほど、そして、編集可能な領域ほど、詳細に情報を表示させるようにすることができるので、ユーザの操作性が向上する。
【００５６】
図１０は、領域の実用的な分割の一例を示す図である。
図１０に示すように、表示画面１において、ガントチャートの時間軸（横柚）における右側部分(スケジュール領域)を領域ＡからＤまでに分割する例を示す。
【００５７】
ここで、領域ＡからＤまでは、それぞれの幅を「スケジュール領域の幅に対する割合」で設定することができる(ｗｒ-Ａ〜Ｄ)。
【００５８】
但し、設定値ｗｒ-Ａ〜Ｄはユーザが任意に設定することができる。
【００５９】
また、ｗｒ-Ａ＋ｗｒ-Ｂ＋ ｗｒ-Ｃ ＋ ｗｒ-Ｄ＝１．０とする。ここで、１．０は横軸の全幅の割合である。
【００６０】
図１０に示すように、領域Ａ３１と領域Ｃ３３は中日程領域に対応し、領域Ｂ３２を小日程領域に対応し、領域Ｄ３４は大日程領域にそれぞれ対応する。
【００６１】
領域Ａ３１の有する時間軸の幅は、例えば、ｗｒ-Ａ＝０．１，領域Ａ幅＝５０ｐｉｘ（画素）(５００×０．１)である。
【００６２】
領域Ｂ３２の有する時間軸の幅は、例えば、ｗｒ-Ｂ＝０．５，領域Ｂ幅＝２５０ｐｉｘ (５００×０．５)である。
【００６３】
領域Ｃ３３の有する時間軸の幅は、例えば、ｗｒ-Ｃ＝０．３，領域Ｃ幅＝１５０ｐｉｘ (５００×０．３)である。
【００６４】
領域Ｄ３４の有する時間軸の幅は、例えば、ｗｒ-Ｄ＝０．１，領域Ｂ幅＝５０ｐｉｘ(５００×０．１)である。
【００６５】
上記の領域幅の設定例は一例であるが、このような設定にすれば、ガントチャートの一覧性を良くすることができるとともに、ユーザが編集等の操作を行いたい領域Ｂの幅を広くして、詳細な情報を表示させることができ、編集操作の操作性を向上させることができる。
【００６６】
図１１は、単位期間表示情報量、すなわち、表示する情報の詳細度（又は表示情報の粒度とも言う）に焦点を当てて表示画面を示した図である。
【００６７】
単位期間表示情報量、すなわち、表示する情報の詳細度は、各領域に表示される期間(領域期間)のことであり、領域期間は領域毎にユーザが設定可能である。表示する情報の詳細度に応じて、各領域の１日を表示するために必要な幅を決定する。
【００６８】
例えば、表示画面の時間軸の総幅を５００ｐｉｘとする。
【００６９】
図６，図７に示すような処理例に従って決定される表示する情報の詳細度に応じて、各領域の１日を表示するために必要な幅を決定することができる。
【００７０】
１）領域Ａ３１について
領域Ａ３１の領域Ａ幅ＷＡ＝５０ｐｉｘとする。そして、領域Ａ３１の領域期間Ａ＝６０日である。
領域Ａ３１の１日に割り当てる幅＝０．８３３ｐｉｘ（５０ｐｉｘ）／６０日）である。
２）領域Ｂ３２について
領域Ｂ３２の領域Ｂ幅ＷＢ＝２５０ｐｉｘとする。そして、領域Ｂ３２の領域期間Ｂ＝３０日である。
領域Ｂ３２の１日に割り当てる幅＝８．３３ｐｉｘ（２５０ｐｉｘ）／３０日）である。
３）領域Ｃ３３について
領域Ｃ３３の領域Ｃ幅ＷＣ＝１５０ｐｉｘとする。そして、領域Ｃ３３の領域期間Ｂ＝６０日である。
領域Ｃ３３の１日に割り当てる幅＝２．５ｐｉｘ（１５０ｐｉｘ）／６０日）である。
４）領域Ｄ３４について
領域Ｄ３４の領域Ｄ幅ＷＤ＝５０ｐｉｘとする。そして、領域Ｄ３４の領域期間Ｄ＝１８０日である。
領域Ｄ３４の１日に割り当てる幅＝０．２７７ｐｉｘ（５０ｐｉｘ）／１８０日）である。
【００７１】
このように、表示する情報の詳細度に依存して、各領域の１日分を表示するために必要な幅を決定することができる。
【００７２】
図１２は、各領域に表示すべき情報（オブジェクト）の表示制御処理の流れを示すフローチャート図であり、図７の処理をより詳細に示すフローチャート図である。
【００７３】
まず、表示画面１に複数の領域が図８〜図１１に示すように画定されているとする。但し、オブジェクトはこれから表示するか、再表示を行う。その処理例を図１２に示す。
【００７４】
図１２に示すように、処理が開始され（Ｓｔａｒｔ）、ステップＳ２１において、表示画面１の複数の領域から１つ抽出する（抽出した領域を領域nとする）。
【００７５】
ステップＳ２２において、領域nの領域期間内に存在するスケジュール領域のオブジェクトを全て抽出する。
【００７６】
ステップＳ２３において、ステップＳ２２で抽出したスケジュール領域のオブジェクトの中で、領域ｎの領域表示順位以上のオブジェクト表示順位を持つスケジュール領域のオブジェクトを抽出する。
【００７７】
ステップＳ２４において、ステップＳ２３で抽出したスケジュール領域の情報（オブジェクト）を当該領域に表示する。
【００７８】
ステップＳ２５において、ステップＳ２１からステップＳ２４の処理を各領域で繰り返し行う。
【００７９】
また、ユーザの操作などにより、領域の割り当てが変更された場合には、この図１２の処理を改めて行うことで、表示を更新する。
【００８０】
図１３は、図１２の処理において、表示順位に従って情報を表示する様子を示す図である。
【００８１】
領域Ａ３１の領域表示順位は２である。領域Ａ３１に表示されるスケジュール領域のオブジェクトは、オブジェクト表示順位が２以上のものとなる。従って、あまり詳細な情報は表示されない（Ｆ１１）。
【００８２】
領域Ｂ３２の領域表示順位は１である。領域Ｂ３２に表示されるスケジュール領域のオブジェクトは、オブジェクト表示順位が１以上のものとなる。従って、より詳細な情報も表示される（Ｆ１２）。
【００８３】
領域Ｃ３３の領域表示順位は２である。領域Ｃ３３に表示されるスケジュール領域のオブジェクトは、オブジェクト表示順位が２以上のものとなる。従って、あまり詳細な情報は表示されない（Ｆ１３）。
【００８４】
領域Ｄ３４の領域表示順位は３である。領域Ｄ３４に表示されるスケジュール領域のオブジェクトは、オブジェクト表示順位が３以上のものとなる。従って、詳細な情報は表示されず、例えば、日にちの区別ができる程度の情報のみが表示される（Ｆ１４）。
【００８５】
本実施の形態によれば、表示の一覧性が良く、かつ、編集作業における操作性も良い工程管理図の表示方法および工程管理図の表示システムを提供することができる。
【００８６】
上記の処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【００８７】
また、上記の実施の形態において、図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００８８】
また、本発明の各構成要素は、任意に取捨選択することができ、取捨選択した構成を具備する発明も本発明に含まれるものである。
【００８９】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００９０】
また、「コンピュータシステム」は、ＷＷＷシステムを利用している場合であれば、ホームページ提供環境（あるいは表示環境）も含むものとする。
【００９１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【００９２】
本発明は、工程管理図の表示方法として利用可能である。
【符号の説明】
【００９３】
Ｘ  情報端末
１  表示画面
１０１  入力部
１０２  記憶部
１０３  表示幅／情報詳細度決定部
１０４  表示制御部
１０５  表示部（出力部）
【図１】
2020052815.tif 000005
【図２】
2020052815.tif 000006
【図３】
2020052815.tif 000007
【図４】
2020052815.tif 000008
【図５】
2020052815.tif 000009
【図６】
2020052815.tif 000010
【図７】
2020052815.tif 000011
【図８】
2020052815.tif 000012
【図９】
2020052815.tif 000013
【図１０】
2020052815.tif 000014
【図１１】
2020052815.tif 000015
【図１２】
2020052815.tif 000016
【図１３】
2020052815.tif 000017